(57)【要約】      （修正有）【課題】手で支えなくてもシャンプー等の詰め替えを簡単にでき、色々なサイズのボトルに対応できるパウチ支えを提供する。【解決手段】長手方向を約１：２：１の領域に分割する２本の分割直線ａ線１１及びｂ線１２を引く。ａ線上において、両側の長手辺から内側に向けて対称的に幅約３ｍｍ・長さ約４０ｍｍの細長い切り欠きを設ける。ｂ線上において、一方の長手辺１０から内側へ向かって同様の切り欠きを設け、他方の長手辺側に、ｂ線を真ん中に挟んで約３０ｍｍ間隔で同様の２つの切り欠きを設け、合計５つの切り欠きからなるパウチ支えスリット部３を形成する。二つの短手辺の内、ｂ線側の短手辺の中央部に、長さ約７０ｍｍ・幅約７ｍｍ程の出っ張りを形設し、留め部１を設ける。反対側の短手辺の内側中央域において、ａ線との間に短手辺に平行し・長手方向に並列する長さ約６０ｍｍの約７本のサイズ合わせ切れ込み部４を設ける。【選択図】図１
0003195784.tif 000002
【実用新案登録請求の範囲】
【請求項１】
略長方形の透明シートを用いて、長手方向を約１：２：１の領域に分割する２本の分割直線ａ線及びｂ線を引いて、ａ線上において、両側の長手辺から内側に向けて対称的に幅約３ミリ・長さ約４０ミリの細長い切り欠きを設け、ｂ線上において、一方の長手辺から内側へ向かって同様の切り欠きを設け、他方の長手辺側に、ｂ線を真ん中に挟んで約３０ミリ間隔で同様の２つの切り欠きを設け、合計５つの切り欠きからなるパウチ支えスリット部を形成し、二つの短手辺の内、ｂ線側の短手辺の中央部に、長さ約７０ミリ・幅約７ミリ程の出っ張りを形設し、留め部を設け、留め部の両端に少し突き出た留め部装着凸先端を設け、留め部の根元（短手辺との接触境界）の両端から、互いに相手方向に向かう数ミリの切り込み即ち装着固定スリットを設け、留め部の真ん中辺の短手辺沿いの内側に約１５ミリ径の丸穴を設け、反対側の短手辺の内側中央域において、ａ線との間に短手辺に平行し・長手方向に並列する長さ約６０ミリの約７本のサイズ合わせ切れ込み部を設け、これらサイズ合わせ切れ込み部のそれぞれの両端に、小さな略三角形様にくりぬいた留め部装着ガイド孔を設けたことを特徴とするパウチ支え。
【考案の詳細な説明】
【技術分野】
【０００１】  本考案は、ボトルなどに、シャンプーなど液状体の入ったパウチを詰め替える時に、支えるパウチ支えに関するものである。
【背景技術】
【０００２】  従来、シャンプーなど液状体の入ったパウチを詰め替える時、手で支えていた。
なお、スリットのある漏斗をボトルに差すものも知られている（特許文献１参照）。
【先行技術文献】
【０００３】
【特許文献１】特許公開２０１３−１７７１９９号公報
【考案の概要】
【考案が解決しようとする課題】
【０００４】  シャンプーなど液状体の入ったパウチを手で支えずにいると、倒れてしまっていた。
文献１に示される先行技術は、毎回、詰め替え終わった後に漏斗の残って付いているシャンプー等を洗わなければならないので、水をいっぱい使うので、水が無駄になってしまっていた。
漏斗をボトルに差した時の漏斗の長さが長くないとバランスがわるく、長すぎるとシャンプー等が少ししか入らない。
本考案は、以上の問題点を解決するためになされたものである。
【課題を解決するための手段】
【０００５】  略長方形の透明シートを用いる。
長手方向を約１：２：１の領域に分割する２本の分割直線ａ線及びｂ線を引く。
ａ線上において、両側の長手辺から内側に向けて対称的に幅約３ミリ・長さ約４０ミリの細長い切り欠きを設け、ｂ線上において、一方の長手辺から内側へ向かって同様の切り欠きを設け、他方の長手辺側に、ｂ線を真ん中に挟んで約３０ミリ間隔で同様の２つの切り欠きを設け、合計５つの切り欠きからなるパウチ支えスリット部を形成する。
二つの短手辺の内、ｂ線側の短手辺の中央部に、長さ約７０ミリ・幅約７ミリ程の出っ張りを形設し、留め部を設ける。
留め部の両端に少し突き出た留め部装着凸先端を設ける。
留め部の根元（短手辺との接触境界）の両端から、互いに相手方向に向かう数ミリの切り込み即ち装着固定スリットを設ける。
留め部の真ん中辺の短手辺沿いの内側に約１５ミリ径の丸穴を設ける。
反対側の短手辺の内側中央域において、ａ線との間に短手辺に平行し・長手方向に並列する長さ約６０ミリの約７本のサイズ合わせ切れ込み部を設け、これらサイズ合わせ切れ込み部のそれぞれの両端に、小さな略三角形様にくりぬいた留め部装着ガイド孔を設ける。
以上の構成よりなるパウチ支えである。
【考案の効果】
【０００６】  シャンプーなどの詰め替えを、本考案により可能にし、こぼさず簡単に、手で支えなくても、詰め替えができる。
本考案は、色々なサイズのボトルに対応することができるのである。
【図面の簡単な説明】
【０００７】
【図１】本考案の展開図
【図２】本考案の組み立てた状態を示す斜視図
【図３】本考案をボトルに装着し、次にパウチ側へ引き上げようとする直前の状態を示す斜視図
【図４】本考案の使用状態を示す斜視図
【考案を実施するための形態】
【０００８】  以下、本考案の実施の形態を説明する。
略長方形の透明シートを用いる。
長手方向を約１：２：１の領域に分割する２本の分割直線ａ線（１１）及びｂ線（１２）を引く。
ａ線（１１）上において、両側の長手辺から内側に向けて対称的に幅約３ミリ・長さ約４０ミリの細長い切り欠きを設け、ｂ線（１２）上において、一方の長手辺から内側へ向かって同様の切り欠きを設け、他方の長手辺側に、ｂ線（１２）を真ん中に挟んで約３０ミリ間隔で同様の２つの切り欠きを設け、合計５つの切り欠きからなるパウチ支えスリット部（３）を形成する。
二つの短手辺の内、ｂ線（１２）側の短手辺の中央部に、長さ約７０ミリ・幅約７ミリ程の出っ張りを形設し、留め部（１）を設ける。
留め部（１）の両端に少し突き出た留め部装着凸先端（７）を設ける。
留め部（１）の根元（短手辺との接触境界）の両端から、互いに相手方向に向かう数ミリの切り込み即ち装着固定スリット（６）を設ける。
留め部（１）の真ん中辺の短手辺沿いの内側に約１５ミリ径の丸穴（２）を設ける。
反対側の短手辺の内側中央域において、ａ線（１１）との間に短手辺に平行し・長手方向に並列する長さ約６０ミリの約７本のサイズ合わせ切れ込み部（４）を設け、これらサイズ合わせ切れ込み部（４）のそれぞれの両端に、小さな略三角形様にくりぬいた留め部装着ガイド孔（５）を設ける。
本考案は以上のような構造であり、以下これの実際的な使用形態を説明する。
丸穴（２）に親指の先だけ入れコントロールし、留め部装着凸先端（７）をボトル（８）のサイズに合ったサイズ合わせ切れ込み部（４）に留め部装着ガイド孔（５）から挿し通し、筒状に形成し、その筒をボトル（８）の上から通し嵌めて下方へ、スライドさせる。
ボトル（８）のポンプ機構一体型の蓋をゆるめて少しだけ引き上げて横にずらし、手押しポンプの管を挿しこんだままの状態にして、シャンプー等液状体のパウチ（９）の口を下にして、ボトル（８）の空いた口へ挿しこみ、その筒を上方へスライドさせ、ボトル（８）のサイズに合ったパウチ支えスリット部（３）でシャンプー等液状体のパウチ（９）を支える。
丸穴（２）はフック等に引掛け、乾かす事もできる。
シャンプー等が手押しポンプの管等に残っていても抜かずに無駄なく詰め替えができる。
【符号の説明】
【０００９】  １留め部、２丸穴、３パウチ支えスリット部、４サイズ合わせ切れ込み部、
５留め部装着ガイド孔、６装着固定スリット、７留め部装着凸先端、８ボトル、
９シャンプー等の液状体のパウチ、１０パウチ支え、１１ａ線、１２ｂ線
【図１】
0003195784.tif 000003
【図２】
0003195784.tif 000004
【図３】
0003195784.tif 000005
【図４】
0003195784.tif 000006